(57)【要約】【課題】箱の開封後でも箱を常にロックして子供による医薬品の誤飲を防止する。【解決手段】箱Ｃでは、外箱から内箱を引き出すだけでは、ロック部がロック解除部と切り込み線縁部との間から外部に突出されて切り込み線の縁部に係止され、外箱から内箱の一端部が引き出されたところで内箱の引き出しは規制され、内箱の一端部は被覆部により封じられて、内箱は医薬品が取り出せない状態にロックされ、外箱から内箱を引き出す際は、外箱のロック解除部を押下してロック部を外箱の開口部の下まで押し下げることにより内箱のロックを解除するようにした。【選択図】図６
2019085118.tif 000002
【特許請求の範囲】
【請求項１】
少なくとも一端に開口を有する略筒状の外箱と、
前記外箱内に前記開口から引き出し可能に収容され、上面に開口を有して医薬品を収納可能な内箱と、
を備え、
前記内箱は、前記内箱の前記外箱の一端に対応する一端部から他端部方向に向けて延長して形成され、前記内箱の上面開口の一端部側を覆う平板状の被覆部と、前記被覆部の延長端から前記内箱の一端部に向けて延び、当該延長端を支点として前記被覆部から起き上がり可能に形成され、前記外箱の内面に圧接される平板状のロック部とを有し、
前記外箱は、前記外箱の前記内箱の前記ロック部に対応する所定の位置に、前記ロック部の前記支点を除く外形縁部に沿って前記ロック部と同じ大きさに又は前記ロック部よりも大きく切り込み線を付されることにより当該切り込み線の内方に前記ロック部上で傾動可能に形成され、前記ロック部をロック解除するための平板状のロック解除部を有し、
前記外箱内に前記内箱が組み込まれて、常態として前記ロック部の起き上がりにより前記ロック解除部が押し上げられて前記ロック解除部が前記ロック部とともに前記切り込み線よりも少し上方の高さに向けて斜めに配置され、
前記外箱から前記内箱を引き出す際に、前記外箱から前記内箱を引き出すだけでは、前記ロック部が前記ロック解除部と前記切り込み線縁部との間から前記外箱の外部に突出されて前記切り込み線の縁部に係止され、前記外箱から前記内箱の一端部が引き出されたところで前記内箱の引き出しは規制され、前記外箱から引き出された前記内箱の一端部は前記被覆部により封じられて、前記内箱は医薬品が取り出せない状態にロックされ、
前記外箱から前記内箱を引き出す際は、前記外箱の前記ロック解除部を押下して前記ロック部を前記外箱の切り込み線の下まで押し下げることにより前記内箱のロックが解除され、前記外箱から前記内箱が自在に引き出される、
ことを特徴とする誤飲防止用ロック機能付き包装用箱。
【請求項２】
少なくとも一端に開口を有する略筒状の外箱と、
前記外箱内に前記開口から引き出し可能に収容され、上面に開口を有して医薬品を収納可能な内箱と、
を備え、
前記内箱は、前記内箱の前記外箱の一端に対応する一端部から他端部方向に向けて延長して形成され、前記内箱の上面開口の一端部側を覆う平板状の被覆部と、前記被覆部の延長端から前記内箱の一端部に向けて延び、当該延長端を支点として前記被覆部から起き上がり可能に形成され、前記外箱の内面に圧接される平板状のロック部とを有し、
前記外箱は、前記外箱の前記内箱の前記ロック部に対応する所定の位置に、前記ロック部の前記支点を除く外形縁部に沿って前記ロック部よりも小さく切り込み線を付されることにより当該切り込み線の内方に前記ロック部上で傾動可能に形成され、前記ロック部をロック解除するための平板状のロック解除部と、前記外箱の一端開口の前記内箱の一端部に対応する縁部から前記外箱の内部で前記切り取り線まで延び、前記ロック部に噛み合い係止可能な平板状のロック受け部とを有し、
前記外箱内に前記内箱が組み込まれて、前記外箱内で前記内箱の前記ロック部はその起き上がりにより前記ロック解除部及びその周囲に圧接され、また、前記外箱のロック受け部は前記ロック部に対向配置されて、
前記外箱から前記内箱を引き出す際に、前記外箱から前記内箱を引き出すだけでは、前記ロック部が前記外箱内で前記外箱の一端開口に向けて摺動し前記ロック受け部に噛み合い係止されて、前記外箱から前記内箱の一端部が引き出されたところで前記内箱の引き出しは規制され、前記外箱から引き出された前記内箱の一端部は前記被覆部により封じられて、前記内箱は医薬品が取り出せない状態にロックされ、
前記外箱から前記内箱を引き出す際は、前記外箱の前記ロック解除部を押下して前記ロック部を前記ロック受け部の下まで押し下げることにより前記内箱のロックが解除され、前記外箱から前記内箱が自在に引き出される、
ことを特徴とする誤飲防止用ロック機能付き包装用箱。
【請求項３】
外箱の一端の開口縁部に内箱の一端部を直接に把持可能に一対の溝が相互に対向して切り欠き形成される請求項１又は２に記載の誤飲防止用ロック機能付き包装用箱。
【請求項４】
外箱は両端に開口を有し、内箱が前記外箱の一端開口から引き出し可能にかつ前記外箱の他端開口から引き出し不能に、前記外箱又は前記内箱の一方に係止部が、他方に被係止部が設けられる請求項１又は２に記載の誤飲防止用ロック機能付き包装用箱。
【請求項５】
外箱は一端に開口を有し、他端が閉塞され、内箱が前記外箱の一端開口からのみ引き出し可能に構成される請求項１又は２に記載の誤飲防止用ロック機能付き包装用箱。
【請求項６】
外箱、内箱はそれぞれ、一枚のブランクシートから一体的に打ち抜かれて形成される一枚の紙基材からなり、ワンタッチで折り畳み可能にかつ組み立て可能に構成される請求項１又は２に記載の誤飲防止用ロック機能付き包装用箱。
【発明の詳細な説明】
【技術分野】
【０００１】
本発明は、子供による医薬品の誤飲を防止する誤飲防止用ロック機能付き包装用箱に関する。
【背景技術】
【０００２】
近年、子供による医薬品の誤飲を防止するために、子供が容易に開封できないロック機能を持たせた包装用箱が切望されており、その一例が特許文献１により提案されている。
【０００３】
この文献１の包装箱は、正面部上部に設けられた被押し込み部が人の指によって外側から押し込まれて、この被押し込み部の縁部に沿って形成された第１の切取線に沿って被押し込み部が正面部から切り離されることにより開封される形式の箱になっており、この包装箱では、特に、正面部の内側に重ねられるシート部を備え、このシート部に、包装箱の開封を規制するように第１切取線の被ロック部の内側に重ねられるロック部と、ロック部をシート部から切り離すためにロック部の縁部に設けられた第２切取線とを有している。
このようにして、正面部の被押し込み部を外側から押し込んでも、被押し込み部が第１切取線の被ロック部に沿って切り離されることがロック部によって阻止されるので、包装箱が容易に開封されてしまうことが防止される。
この包装箱の開封は、ロック部によるロックを解除することで可能となる。ロックを解除する場合は、ロック部を引き上げることで、ロック部を第２切取線に沿ってシート部から切り離す。このロック部の切り離し動作は、シート部の紙面に平行な方向に沿ってロック部を引き上げることで、シート部からロック部を引きちぎる動作であるため、第２切取線が設けられているとはいえ、ロック部の切り離しには大きな力を要する。よって、子供の力ではロック部の切り離しが困難であり、子供によるロック解除を防止することができる。
そして、この引き上げられたロック部の下端部は、第１切取線の被ロック部よりも上側に配置されることにより、被ロック部の内側には、ロック部及びシート部のいずれも介在することがなくなって、ロック部によるロック機能が失われる。したがって、正面部の被押し込み部ａを外側から押し込むと、被押し込み部を容易に正面部から切り離して内側へ押し込むことができ、包装箱を開封することができる。
【先行技術文献】
【特許文献】
【０００４】
【特許文献１】特開２０１４−２２７２２６号公報
【発明の概要】
【発明が解決しようとする課題】
【０００５】
しかしながら、上記従来（特許文献１）の包装箱では、一度ロック部によるロックを解除してしまうと、ロック部のロック機能は失われてしまうため、箱開封後のロック機能がなく、箱開封後の子供（特に幼児）による医薬品の誤飲を防止することができない、という問題がある。
【０００６】
本発明は、このような従来の問題を解決するもので、この種の誤飲防止用ロック機能付き包装用箱において、箱の開封後でも、箱を常態としてロック状態にして、子供（特に幼児）による医薬品の誤飲を防止すること、を目的とする。
【課題を解決するための手段】
【０００７】
上記目的を達成するために、本発明（１）の誤飲防止用ロック機能付き包装用箱は、
少なくとも一端に開口を有する略筒状の外箱と、
前記外箱内に前記開口から引き出し可能に収容され、上面に開口を有して医薬品を収納可能な内箱と、
を備え、
前記内箱は、前記内箱の前記外箱の一端に対応する一端部から他端部方向に向けて延長して形成され、前記内箱の上面開口の一端部側を覆う平板状の被覆部と、前記被覆部の延長端から前記内箱の一端部に向けて延び、当該延長端を支点として前記被覆部から起き上がり可能に形成され、前記外箱の内面に圧接される平板状のロック部とを有し、
前記外箱は、前記外箱の前記内箱の前記ロック部に対応する所定の位置に、前記ロック部の前記支点を除く外形縁部に沿って前記ロック部と同じ大きさに又は前記ロック部よりも大きく切り込み線を付されることにより当該切り込み線の内方に前記ロック部上で傾動可能に形成され、前記ロック部をロック解除するための平板状のロック解除部を有し、
前記外箱内に前記内箱が組み込まれて、常態として前記ロック部の起き上がりにより前記ロック解除部が押し上げられて前記ロック解除部が前記ロック部とともに前記切り込み線よりも少し上方の高さに向けて斜めに配置され、
前記外箱から前記内箱を引き出す際に、前記外箱から前記内箱を引き出すだけでは、前記ロック部が前記ロック解除部と前記切り込み線縁部との間から前記外箱の外部に突出されて前記切り込み線の縁部に係止され、前記外箱から前記内箱の一端部が引き出されたところで前記内箱の引き出しは規制され、前記外箱から引き出された前記内箱の一端部は前記被覆部により封じられて、前記内箱は医薬品が取り出せない状態にロックされ、
前記外箱から前記内箱を引き出す際は、前記外箱の前記ロック解除部を押下して前記ロック部を前記外箱の切り込み線の下まで押し下げることにより前記内箱のロックが解除され、前記外箱から前記内箱が自在に引き出される、
ことを要旨とする。
この場合、外箱の一端の開口縁部に内箱の一端部を直接に把持可能に一対の溝が相互に対向して切り欠き形成されることが好ましい。
この場合、外箱は両端に開口を有し、内箱が前記外箱の一端開口から引き出し可能にかつ前記外箱の他端開口から引き出し不能に、前記外箱又は前記内箱の一方に係止部が、他方に被係止部が設けられることが好ましい。
この場合、外箱は一端に開口を有し、他端が閉塞され、内箱が前記外箱の一端開口からのみ引き出し可能に構成されることが好ましい。
この場合、外箱、内箱はそれぞれ、一枚のブランクシートから一体的に打ち抜かれて形成される一枚の紙基材からなり、ワンタッチで折り畳み可能にかつ組み立て可能に構成されることが好ましい。
【０００８】
また、上記目的を達成するために、本発明（２）の誤飲防止用ロック機能付き包装用箱は、
少なくとも一端に開口を有する略筒状の外箱と、
前記外箱内に前記開口から引き出し可能に収容され、上面に開口を有して医薬品を収納可能な内箱と、
を備え、
前記内箱は、前記内箱の前記外箱の一端に対応する一端部から他端部方向に向けて延長して形成され、前記内箱の上面開口の一端部側を覆う平板状の被覆部と、前記被覆部の延長端から前記内箱の一端部に向けて延び、当該延長端を支点として前記被覆部から起き上がり可能に形成され、前記外箱の内面に圧接される平板状のロック部とを有し、
前記外箱は、前記外箱の前記内箱の前記ロック部に対応する所定の位置に、前記ロック部の前記支点を除く外形縁部に沿って前記ロック部よりも小さく切り込み線を付されることにより当該切り込み線の内方に前記ロック部上で傾動可能に形成され、前記ロック部をロック解除するための平板状のロック解除部と、前記外箱の一端開口の前記内箱の一端部に対応する縁部から前記外箱の内部で前記切り取り線まで延び、前記ロック部に噛み合い係止可能な平板状のロック受け部とを有し、
前記外箱内に前記内箱が組み込まれて、前記外箱内で前記内箱の前記ロック部はその起き上がりにより前記ロック解除部及びその周囲に圧接され、また、前記外箱のロック受け部は前記ロック部に対向配置されて、
前記外箱から前記内箱を引き出す際に、前記外箱から前記内箱を引き出すだけでは、前記ロック部が前記外箱内で前記外箱の一端開口に向けて摺動し前記ロック受け部に噛み合い係止されて、前記外箱から前記内箱の一端部が引き出されたところで前記内箱の引き出しは規制され、前記外箱から引き出された前記内箱の一端部は前記被覆部により封じられて、前記内箱は医薬品が取り出せない状態にロックされ、
前記外箱から前記内箱を引き出す際は、前記外箱の前記ロック解除部を押下して前記ロック部を前記ロック受け部の下まで押し下げることにより前記内箱のロックが解除され、前記外箱から前記内箱が自在に引き出される、
ことを要旨とする。
この場合、外箱の一端の開口縁部に内箱の一端部を直接に把持可能に一対の溝が相互に対向して切り欠き形成されることが好ましい。
この場合、外箱は両端に開口を有し、内箱が前記外箱の一端開口から引き出し可能にかつ前記外箱の他端開口から引き出し不能に、前記外箱又は前記内箱の一方に係止部が、他方に被係止部が設けられることが好ましい。
この場合、外箱は一端に開口を有し、他端が閉塞され、内箱が前記外箱の一端開口からのみ引き出し可能に構成されることが好ましい。
この場合、外箱、内箱はそれぞれ、一枚のブランクシートから一体的に打ち抜かれて形成される一枚の紙基材からなり、ワンタッチで折り畳み可能にかつ組み立て可能に構成されることが好ましい。
【発明の効果】
【０００９】
本発明（１）の誤飲防止用ロック機能付き包装用箱によれば、上記の構成により、外箱から内箱を引き出す際に、外箱から内箱を引き出すだけでは、ロック部がロック解除部と切り込み線縁部との間から外箱の外部に突出されて切り込み線の縁部に係止され、外箱から内箱の一端部が引き出されたところで内箱の引き出しは規制され、外箱から引き出された内箱の一端部は被覆部により封じられて、内箱は医薬品が取り出せない状態にロックされ、外箱から内箱を引き出す際は、外箱のロック解除部を押下してロック部を外箱の切り込み線の下まで押し下げることにより内箱のロックが解除され、外箱から内箱が自在に引き出されるようにしたので、箱の開封後でも、箱を常態としてロック状態にして、子供による医薬品の誤飲を防止することができる、という本発明独自の格別な効果を奏する。
【００１０】
本発明（２）の誤飲防止用ロック機能付き包装用箱によれば、上記の構成により、外箱から内箱を引き出す際に、外箱から内箱を引き出すだけでは、ロック部が外箱の内面に沿って外箱の一端開口に向けて移動しロック受け部に噛み合い係止されて、外箱から内箱の一端部が引き出されたところで内箱の引き出しは規制され、外箱から引き出された内箱の一端部は被覆部により封じられて、内箱は医薬品が取り出せない状態にロックされ、外箱から内箱を引き出す際は、外箱のロック解除部を押下してロック部をロック受け部の下まで押し下げることにより内箱のロックが解除され、外箱から内箱が自在に引き出されるようにしたので、箱の開封後でも、箱を常態としてロック状態にして、子供による医薬品の誤飲を防止することができる、という本発明独自の格別な効果を奏する。
【図面の簡単な説明】
【００１１】
【図１】本発明の第１の実施の形態における誤飲防止用ロック機能付き包装用箱の全体構成を示す図（（ａ）は外箱に内箱が収容された状態を示す斜視図（ｂ）は外箱から内箱が引き出された状態を示す斜視図）
【図２】同箱の内箱の構成を示す図（斜視図）
【図３】同箱の内箱の組み立て前の紙基材の状態を示す図（展開図）
【図４】同箱の外箱の構成を示す図（斜視図）
【図５】同箱の外箱の組み立て前の紙基材の状態を示す図（展開図）
【図６】同箱のロック機能を示す図（（ａ）は外箱から内箱を引き出す前の状態を示す斜視図（ｂ）は外箱から内箱を引き出そうとして内箱を少し引き出したところで内箱がロックされた状態を示す斜視図）
【図７】同箱のロック機能を示す図（（ａ）は外箱のロック解除部を押下して内箱のロックを解除する状態を示す斜視図（ｂ）は外箱のロック解除部を押下しながら外箱から内箱を引き出した状態を示す斜視図（ｃ）は外箱から内箱を引き出して内箱の上面開口を開放した状態を示す斜視図）
【図８】同箱の変形例を示す図（斜視図）
【図９】同箱の変形例の特に外箱の左側面の構成を示す図（（ａ）は外側から見た左側面図（ｂ）は内側から見た左側面図）
【図１０】同箱の変形例の組み立て前の紙基材の状態を示す図（展開図）
【図１１】本発明の第２の実施の形態における誤飲防止用ロック機能付き包装用箱の構成を示す図（（ａ）は外箱に内箱が収容された状態を示す斜視図（ｂ）は外箱の斜視図）
【図１２】同箱の外箱の組み立て前の紙基材の状態を示す図（展開図）
【図１３】同箱のロック機能を示す図（（ａ）は外箱から内箱を引き出そうとして内箱を少し引き出したところで内箱がロックされた状態を示す斜視図（ｂ）は外箱のロック解除部を押下しながら外箱から内箱を引き出した状態を示す斜視図（ｃ）は外箱から内箱を引き出して内箱の上面開口を開放した状態を示す斜視図）
【図１４】同箱の変形例の組み立て前の紙基材の状態を示す図（展開図）
【発明を実施するための形態】
【００１２】
次に、この発明を実施するための形態について図を用いて説明する。
図１乃至図５に第１の実施の形態を示している。
図１に示すように、誤飲防止用ロック機能付き包装用箱Ｃ１（以下、包装用箱Ｃ１又は箱Ｃ１という場合がある。）は、少なくとも一端に開口１０を有する略筒状の外箱１と、外箱１内に一端開口１０から引き出し可能に収容され、上面に開口２０を有して医薬品を収納可能な内箱２とを備える。この包装用箱Ｃ１の誤飲防止用ロック機能（以下、単にロック機能という。）は、内箱２の一端部側に起き上がり可能に形成されるロック部２７と外箱１の一端側に内箱２のロック部２７の外形に沿って形成される切り込み部ｄ１、及びこの切り込み部ｄ１の内方に傾動可能に形成されるロック解除部１５とにより構成される。
【００１３】
この包装用箱Ｃ１において内箱２は、図１（ｂ）に示すように、内箱２の外箱１の一端に対応する一端部から他端部方向に向けて延長して形成され、内箱２の上面開口２０の一端部側を覆う平板状の被覆部２６と、被覆部２６の延長端から内箱２の一端部に向けて延び、当該延長端を支点として被覆部２６から起き上がり可能に形成されて、外箱１の内面に圧接される平板状のロック部２７とを有する。
この場合、内箱２は、図２に示すように、上面に開口２０を有する横に長く深さの浅い箱形に形成され、横に長い長方形の下面板（底板）２１と、この下面板２１の４辺から立ち上げられる前面板２２、後面板２３及び左右の側面板２４、２５とからなる。この内箱２の一端部となる右側面板２５の上縁部から延長して平板状の被覆部２６が他端部方向、つまり左側面板２４方向に向けて右側面板２５の上縁部を支点として上方に起き上がり可能に形成され、この被覆部２６で内箱２の上面開口２０の一端部側所定の範囲が覆われるようになっている。また、この被覆部２６には、被覆部２６の延長端、つまり被覆部２６の左縁部でその中央から略矩形状の平板からなるロック部２７が内箱２の一端部、つまり右側面板２５に向けて延び、被覆部２６の左縁部を支点として被覆部２６の上面から起き上がり可能に折曲形成される。この被覆部２６はその起き上がりにより外箱１の内面に圧接される。さらに、この被覆部２６には、被覆部２６の前後両縁部でその被覆部２６の左縁部側に略矩形状の平板からなる一対の支持部２８が下方に向けて内箱２の下面板２１（の内面）に当接可能に延び、これらの支持部２８により被覆部２６が内箱２の上面開口２０上に支持されるようになっている。
また、この場合、後述の外箱１が両端に開口１０を有する筒形に形成されるので、内箱２が外箱１の一端開口１０から引き出し可能にかつ外箱１の他端開口１０から引き出し不能に、外箱１又は内箱２の一方に係止部が、他方に被係止部が設けられる。ここでは、図１（ａ）、（ｂ）に示すように、内箱２に係止部２０１、２０２（図３参照）が設けられ、前面板２２、後面板２３の右端の下部に切り起こしにより係止小突起２０１、２０２が形成されて前面板２２、後面板２３から外側に向けて突出される。以下、内箱２の係止部２０１、２０２を係止小突起２０１、２０２と称する。
【００１４】
また、内箱２は一枚のブランクシートから一体的に打ち抜かれて形成される一枚の紙基材からなり、ワンタッチで折り畳み可能にかつ組み立て可能に構成される。
図３にこの内箱２の紙基材Ｐ２を示している。
図３に示すように、この紙基材Ｐ２は、所定の大きさを有する横に長い長方形の下面板部Ｐ２１と、下面板部Ｐ２１の前縁部に罫線（折り目）Ｋ１を介して連接される横に細長い前面板部Ｐ２２、及び前面板部Ｐ２２の左右両縁部から罫線（折り目）Ｋ２、Ｋ３を介して突出される左右の各フラップ部Ｐ２２１、Ｐ２２２と、下面板部Ｐ２１の後縁部に罫線（折り目）Ｋ４を介して連接される横に細長い後面板部Ｐ２３、及び後面板部Ｐ２３の左右両縁部から罫線（折り目）Ｋ５、Ｋ６を介して突出される左右の各フラップ部Ｐ２３１、Ｐ２３２と、下面板部Ｐ２１の左縁部に罫線（折り目）Ｋ７を介して連接される縦に細長い左側面板部Ｐ２４と、下面板部Ｐ２１の右縁部に罫線（折り目）Ｋ８を介して連接される縦に細長い右側面板部Ｐ２５と、右側面板部Ｐ２５の右縁部に罫線（折り目）Ｋ９を介して所定の長さまで延長される矩形状の被覆部Ｐ２６と、被覆部Ｐ２６の延長端、つまり右縁部の中央に罫線（折り目）Ｋ１０を介して突出される矩形状のロック部Ｐ２７と、被覆部Ｐ２７の前後縁部で右縁部側に罫線（折り目）Ｋ１１、Ｋ１２を介して前後方向に所定の長さまで延びる一対の支持部Ｐ２８とからなり、前面板部Ｐ２２の左右両端及び後面板部Ｐ２３の左右両端にはそれぞれ、下面板部Ｐ２１の各角部から斜めに、組み立て時の左右の各側面板部Ｐ２４、Ｐ２５が下面板部Ｐ２１上に折り畳み可能に、罫線（折り目）Ｋ１３が付される。
このようにしてこの内箱２の紙基材Ｐ２は、下面板部Ｐ２１の各辺で各罫線Ｋ１、Ｋ４、Ｋ７、Ｋ８を介して前面板部Ｐ２２、後面板部Ｐ２３及び左右の各側面板部Ｐ２４、Ｐ２５が下面板部Ｐ２１に対して略直角に引き起こされ、前面板部Ｐ２２左右両端の各フラップ部Ｐ２２１、Ｐ２２２は罫線Ｋ２、Ｋ３を介して内側に折り曲げられて左右の各側面板部Ｐ２４、Ｐ２５に糊を介して接着され、同様に、後面板部Ｐ２３左右両端の各フラップ部Ｐ２３１、Ｐ２３２は罫線Ｋ５、Ｋ６を介して内側に折り曲げられて左右の各側面板部Ｐ２４、Ｐ２５に糊を介して接着されて、全体として上面に開口２０を有する偏平状の箱形に組み立てられる。そして、ロック機能の一部をなす被覆部Ｐ２６は右側面板部Ｐ２５の上縁部の罫線Ｋ９を介して上面開口２０上に傾倒配置されるとともに、各支持部Ｐ２８が被覆部Ｐ２６の前後縁部の罫線Ｋ１１、Ｋ１２を介して下方に向けて略直角に折り曲げられ、ロック部Ｐ２７は被覆部Ｐ２６左縁部の罫線Ｋ１０を介して被覆部Ｐ２６の上面上に傾倒配置される。この場合、被覆部Ｐ２６は箱２の上面開口２０まで指で押し下げても指を離せば、被覆部Ｐ２６は起き上がり、上面開口１０上で斜め上方に復帰され、ロック部Ｐ２７もまた、箱２の被覆部Ｐ２６の上面まで指で押し下げても指を離せば、ロック部Ｐ２７は起き上がり、被覆部Ｐ２６の上面上で斜め上方に復帰される。
かくして内箱２は、図２に示すように、出荷段階では、左右の各側面板２４、Ｐ２５が、下面板２１との間の罫線Ｋ７、Ｋ８及び前面板２２、後面板２３左右両端の各罫線Ｋ１３を介して、下面板２１内面上に折り畳まれ、被覆部２６、各支持部２８及びロック部２７は全体が展開された状態から右側面板２５とともに下面板２１内面上に折り畳まれる。そして、製薬会社などの出荷先に出荷されて、出荷先で、ワンタッチ操作、この場合、前面板２２及び後面板２３を外側から内側に向けて引き起こすことにより、これに連動して、左右の各側面板２４、２５が引き起こされて、全体として箱形に組み立てられ、被覆部２６は右側面板２５の上縁部の罫線Ｋ９を介して上面開口２０上に傾倒配置されるとともに、各支持部２８が被覆部２６の前後縁部の罫線Ｋ１１、Ｋ１２を介して下方に向けて略直角に折り曲げられ、ロック部２７は被覆部２６左縁部の罫線Ｋ１０を介して被覆部２６の上面上に傾倒配置される。
【００１５】
この包装用箱Ｃ１において外箱１は、図１（ａ）、（ｂ）に示すように、外箱１の内箱２のロック部２７に対応する所定の位置に、ロック部２７の支点を除く外形縁部（３縁部）に沿ってロック部２７と同じ大きさに又はロック部２７よりも大きく切り込み線ｄ１を付されることによりこの切り込み線ｄ１の内方に内箱２のロック部２７上で傾動可能に形成され、ロック部２７をロック解除するための平板状のロック解除部１５を有する。
この場合、図４に示すように、外箱１は、内箱２を収容可能に、言い換えれば、内箱２の上面、前面、後面及び下面を包囲可能に両端に開口１０を有する横長偏平状の角筒形に形成され、内箱２の上面開口２０に対応する上面板１４と、内箱２の前面板２２及び後面板２３に対応する前面板１２及び後面板１３と、内箱２の下面板２１に対応する下面板１１とからなる。図１（ａ）、（ｂ）に示すように、この外箱１の上面板１４の一端側、この場合、右側に、内箱２のロック部２７に対応する直上の位置にロック部２７の外形縁部（３縁部）に沿って略コ字形にロック部２７と同じ大きさに又はロック部２７よりも大きく、この場合は、ロック部２７よりも少し大きく切り込み線ｄ１が付され、この切り込み線ｄ１の内方（切り込み線ｄ１で囲まれた内側の部分）に平板状のロック解除部１５が内箱２のロック部２６上で傾動可能に形成されて、外箱１の一端開口１０から内箱２が引き出されることにより、ロック部２７が上面板１４の切り込み線ｄ１の縁部、特に、上面板１４の右縁部と平行の切り込み線ｄ１１の縁部にロック（係止）可能になっていて、外箱１内に内箱２が収容された状態からロック解除部１５が押下されることによってロック部２７が外箱１の内面側に押し下げられてロック解除可能になっている。
また、この場合、図１（ａ）、（ｂ）に示すように、外箱１の一端の開口１０縁部に内箱２の一端部を直接に把持可能に一対の溝１２０、１３０（図５参照）が相互に対向して切り欠き形成される。ここでは、外箱１の前面板１２及び後面板１３の各右端部がコ字形に、より詳しくは、図５に示すように、各右端部にそれぞれ、右端部の上縁部よりも少し下がった位置に右縁部から上縁部と平行に所定の長さだけ、同様に、右端部の下縁部に右縁部から所定の長さだけ、切り込みｄ２１が入れられ、そして、それぞれの切り込みｄ２１の左端間に切り込みｄ２２が入れられて、全体としてコ字形に切り欠かれて形成される。なお、これらの溝１２０、１３０は人の手の親指先端と人差し指又は中指の先端が入る程度の大きさに形成される。
さらに、この場合、図１（ａ）、（ｂ）に示すように、外箱１の両端に開口１０を有するので、内箱２が外箱１の一端開口１０から引き出し可能にかつ外箱１の他端開口１０から引き出し不能に、外箱１又は内箱２の一方に係止部が、他方に被係止部が設けられる。ここでは、既述のとおり、係止部２０１、２０２が内箱２に形成されるので、被係止部は外箱１に形成される。既述の外箱１の前面板１２及び後面板１３の各右端部に形成された各溝１２０、１３０が内箱２の係止部２０１、２０２に係合可能な被係止部１２０、１３０として兼用される。以下、外箱１の被係止部１２０、１３０を単に溝１２０、１３０と称する。
【００１６】
また、外箱１は一枚のブランクシートから一体的に打ち抜かれて形成される一枚の紙基材からなり、ワンタッチで折り畳み可能にかつ組み立て可能に構成される。
図５にこの外箱１の紙基材Ｐ１を示している。
図５に示すように、この紙基材Ｐ１は、内箱２の下面板部Ｐ２１と略同じ大きさの横に長い長方形の下面板部Ｐ１１と、この下面板部Ｐ１１の後縁部に罫線（折り目）Ｋ１４を介して連接される内箱２の後面板部Ｐ２３と略同じ大きさの横に細長い後面板部Ｐ１３と、この後面板部Ｐ１３の下縁部に罫線（折り目）Ｋ１５を介して連接される内箱２の上面開口２０と略同じ大きさの横に長い長方形の上面板部Ｐ１４と、この上下面板部Ｐ１４の下縁部に罫線（折り目）Ｋ１６を介して連接される内箱２の前面板部Ｐ２２と略同じ大きさの前面板部Ｐ１２と、この前面板部Ｐ１２の下縁部に罫線（折り目）Ｋ１７を介して連接される前面板部Ｐ１２と略同じ長さ（横の寸法）で幅（縦の寸法）が少し小さい帯状の接着片部Ｐ１６とからなり、上面板部Ｐ１４の右側に既述のとおりに切り込み線ｄ１が形成され、前面板部Ｐ１２及び後面板部Ｐ１３の右端部に既述のとおりに溝１２０、１３０が切り欠き形成される。
このようにしてこの外箱１の紙基材Ｐ１は、下面板部Ｐ１１に対して後面板部Ｐ１３が罫線Ｋ１４を介して直角に折り曲げられ、この後面板部Ｐ１３に対して上面板部Ｐ１４が罫線Ｋ１５を介して直角に（つまり、下面板部Ｐ１１と平行に）折り曲げられ、この上面板部Ｐ１４に対して前面板部Ｐ１２が罫線Ｋ１６を介して直角に（つまり、後面板部Ｐ１３と平行に）折り曲げられ、この前面板部Ｐ１２に対して接続片部Ｐ１６が罫線Ｋ１７を介して直角に（つまり、上面板部Ｐ１４と平行に）折り曲げられこの接続片部Ｐ１６が下面板部Ｐ１１の内面に糊を介して接着されて、全体として横長偏平状の角筒形に組み立てられる。そして、ロック機能の一部をなすロック解除部Ｐ１５は上面板部Ｐ１４に形成された切り込み線ｄ１内に上面板部Ｐ１４と面一に配置される。
かくして外箱１は、出荷段階では、下面板１１と後面板１３との間の罫線Ｋ１４又は下面板１１と前面板１２との間の罫線Ｋ１７と、上面板１４と前面板１２との間の罫線Ｋ１６又は上面板１４と後面板１３との間の罫線Ｋ１５を折り畳み中心にして全体が偏平状に折り畳まれる。そして、製薬会社などの出荷先に出荷されて、出荷先で、ワンタッチ操作、この場合、前面板１２及び後面板１３を直立に引き起こすことにより、全体として筒形に組み立てられる。
【００１７】
そして、出荷先では、内箱２内に医薬品が収納されて、この内箱２が外箱１の中に収容される。
【００１８】
このようにして誤飲防止用ロック機能付き包装用箱Ｃ１は、図６（ａ）に示すように、外箱１内に内箱２が組み込まれて、外箱１内では常態として内箱２のロック部２７の起き上がりにより外箱１のロック解除部１５が押し上げられてロック解除部１５がロック部２７とともに切り込み線ｄ１よりも少し上方の高さに向けて斜めに配置され、これにより、外箱１から内箱２を引き出す際に、外箱１から内箱２を引き出すだけでは、図６（ｂ）に示すように、ロック部２７がロック解除部１５と切り込み線ｄ１（ｄ１１）の縁部との間から外箱１の外部に突出されて切り込み線ｄ１（ｄ１１）の縁部に係止され、外箱１から内箱２の一端部が引き出されたところで内箱２の引き出しは規制され、外箱１から引き出された内箱２の一端部はその上面開口２０が被覆部２６により封じられて、内箱２は医薬品が取り出せない状態にロックされ、外箱１から内箱２を引き出す際は、図７に示すように、外箱１のロック解除部１５を押下して内箱２のロック部２７を外箱１の切り込み線ｄ１の下まで押し下げることにより内箱２のロックが解除され、外箱１から内箱２が自在に引き出されるようになっている。
【００１９】
かくして、特に幼児などの子供が外箱１から内箱２を引き出そうとしても、図６（ｂ）に示すように、外箱１から内箱２の一部（一端部）を引き出したところで、内箱２のロック部２７が外箱１のロック解除部１５と切り込み線ｄ１１の縁部との間から外箱１の外部に飛び出して切り込み線ｄ１１の縁部に係止され、それ以上に内箱２を引き出すことができない。そして、外箱１から引き出された内箱２の一部はその上面開口２０が被覆部２６により封じられているため、内箱２は開放されず、内箱２の中から医薬品を取り出すことができない。したがって、子供（幼児）がこの箱Ｃ１から医薬品を取り出して誤って飲んでしまうのを防止することができる。
また、一般に大人などが、この箱Ｃ１に入っている医薬品を服用するときは、図７（ａ）に示すように、例えば、左手で外箱１を押え、右手の親指と人差し指で外箱１の右端部の各溝１２０、１３０を通して内箱２の右端部を摘み、左手の人差し指などでロック解除部１５を押し（押下し）ながら、右手で内箱２を引き出せば、このときロック部２７は外箱１の切り込み線ｄ１の下まで押し下げられてロック解除されているので、図７（ｂ）に示すように、外箱１から内箱２はスムーズに引き出されて、図７（ｃ）に示すように、外箱１の外で内箱２の上面開口２０が開放され、内箱２から医薬品を取り出すことができる。
また、この場合、外箱１の前面板１２及び後面板１３の右端部に内箱２の一端部を直接に把持可能に溝１２０、１３０が切り欠き形成されているので、外箱１から内箱２を引き出すときに、内箱２が摘みやすく、内箱２が引き出しやすい。さらに、この場合、外箱１の両端が開口１０になっているが、内箱２の前面板１２及び後面板１３の右端部に係止小突起２０１、２０２が設けられて外箱１の前面板１２及び後面板１３の右端部の溝１２０、１３０に係合され、右側の開口１０から引き出し可能にかつ左側の開口１０から引き出し不能になっているので、内箱２が誤って外箱１の反対の開口１０から引き出されることがない。
【００２０】
以上説明したように、誤飲防止用ロック機能付き包装用箱Ｃ１によれば、既述の構成により、外箱１から内箱２を引き出す際に、外箱１から内箱２を引き出すだけでは、ロック部２７がロック解除部１５と切り込み線ｄ１の縁部との間から外箱１の外部に突出されて切り込み線ｄ１の縁部に係止され、外箱１から内箱２の一端部が引き出されたところで内箱２の引き出しは規制され、外箱１から引き出された内箱２の一端部はその上面開口２０が被覆部２６により封じられて、内箱２は医薬品が取り出せない状態にロックされ、外箱１から内箱２を引き出す際は、外箱１のロック解除部１５を押下してロック部２７を外箱１の切り込み線ｄ１の下まで押し下げることにより内箱２のロックが解除され、外箱１から内箱２が自在に引き出されるようにしたので、箱Ｃ１の開封後でも、箱Ｃ１を常態としてロック状態にして、子供による医薬品の誤飲を防止することができる。
【００２１】
また、この包装用箱Ｃ１では、さらに次のような利点を有する。
（１）外箱１の一端の開口１０縁部に内箱２の一端部を直接に把持可能に一対の溝１２０、１３０が相互に対向して切り欠き形成されるので、外箱１から内箱２を引き出すときに、内箱２が摘みやすく、外箱１から内箱２を簡単に引き出すことができる。
（２）外箱１の両端に開口１０を有しているが、内箱２が外箱１の一端開口１０から引き出し可能にかつ外箱１の他端開口１０から引き出し不能に、内箱２に係止部２０１、２０２が、外箱１に被係止部１２０、１３０が設けられるので、内箱２が誤って外箱１の他端開口１０から引き出されることがない。
なお、この実施の形態では、内箱２に係止部２０１、２０２が、外箱１に被係止部１２０、１３０が設けられているが、反対に外箱１に係止部が、内箱２に被係止部が設けられていてもよい。このようにしても上記実施の形態と同様の作用効果を得ることができる。
（３）外箱１、内箱２はそれぞれ、一枚のブランクシートから一体的に打ち抜かれて形成される一枚の紙基材Ｐ１、Ｐ２からなり、ワンタッチで折り畳み可能にかつ組み立て可能に構成されるので、輸送、保管に適し、ユーザーに使いやすい誤飲防止用ロック機能付き包装用箱Ｃ１を提供することができる。
【００２２】
図８に第１の実施の形態の一部を変更した変形例を示している。
この変形例は、外箱１及び内箱２の一部の構成が第１の実施の形態と異なり、ここではその異なる点のみを説明する。
【００２３】
図８に示すように、外箱１は一端に開口１０を有し、他端が閉塞され、内箱２が外箱１の一端開口１０からのみ引き出し可能に構成される。
この外箱１の場合、外箱１の一端、この場合、右側面が開口され、他端、この場合、左側面が閉塞板１７により封止される。なお、この場合、外箱１の他端が閉塞されるので、外箱１から内箱２が引き出されるのは一端の開口１０のみになるので、外箱１、内箱２に係止部又は被係止部は不要であり、この場合、内箱２に係止小突起は設けられていない。
【００２４】
また、この外箱１において、閉塞板１７は、図９、図１０に示すように、４面板１１、１２、１３、１４で囲まれる左側面開口を閉塞する上下に２分割された閉塞蓋１７Ｕ、１７Ｄ及び前後一対のフラップ１７Ｆ、１７Ｒからなる。なお、この外箱１では、４面板１１−１４の接着片部Ｐ１６が下面板部Ｐ１１の上縁部に罫線（折り目）Ｋ１７を介して連接される。
この場合、上の閉塞板１７Ｕは、左側面開口の仮想の上下方向略中央ラインの後部側の一端側から下方に向けて略台形状に突出される凸状部１７１と、左側面開口の仮想の上下方向略中央ラインの前部側の他端側から下方に向けて略三角形状に突出される凸状部１７２とからなり、下の閉塞板１７Ｄは、左側面開口の仮想の上下方向略中央ラインの後部側の一端側から上方に向けて略三角形状に突出される凸状部１７２と、左側面開口の仮想の上下方向略中央ラインの前部側の他端側から略台形状に突出される凸状部１７１とからなり、上下の各閉塞板１７Ｕ、１７Ｄはそれぞれ相互に対称的な形状になっている。また、前後の各フラップ１７Ｆ、１７Ｒは略台形に形成される。このようにして上側の閉塞板１７Ｕの凸状部１７２が近接する前後の一方のフラップ、この場合、前側のフラップ１７Ｆの外側面に接着剤を介して固定されるとともに、下側の閉塞板１７Ｄの凸状部１７２が近接する前後の他方のフラップ、この場合、後側のフラップ１７Ｒの外側面に接着剤を介して固定され、上側の閉塞板１７Ｕの凸状部１７１が下側の閉塞板１７Ｄの凸状部１７２の内面側に差し込まれるとともに、下側の閉塞板１７Ｄの凸状部１７１が上側の閉塞板１７Ｕの凸状部１７２の内面側に差し込まれて閉塞板１７が形成される。
かくして外箱１の各部の形状及び構造から、この外箱１は、左側面の閉塞板１７の一方の対角線を折り畳み線として、相互に隣り合う２面板が内面を合せて、この場合、上面板１４と前面板１２、下面板１１と後面板１３がそれぞれ内面を合せて、かつ上下の各閉塞板１７Ｕ、１７Ｄと上面板１４及び下面板１１が内面を合せて、この場合、上側の閉塞板１７Ｕと上面板１４、下側の閉塞板１７Ｄと下面板１１がそれぞれ内面を合せて折り畳み可能に構成される。
このようにして外箱１はワンタッチで閉塞板の一方の対角線に沿って折り畳み可能にかつ組み立て可能に構成される。
【００２５】
このようにしても第１の実施の形態と同様の作用効果を奏することができる。
【００２６】
図１１乃至図１３に第２の実施の形態を示している。
第２の実施の形態では、外箱１の構成が第１の実施の形態と異なり、内箱２の構成は共通である。ここでは、外箱１について異なる点に新たな符号を付して説明し、内箱２については第１の実施の形態と同様の符号を付してその重複する説明を省略する。
【００２７】
この包装用箱Ｃ２において外箱１は、図１１に示すように、外箱１の内箱２のロック部２７に対応する所定の位置に、ロック部２７の支点を除く外形縁部に沿ってロック部２７よりも小さく切り込み線ｄ３を付されることにより当該切り込み線ｄ３の内方にロック部２７上で傾動可能に形成され、ロック部２７をロック解除するための平板状のロック解除部１８と、外箱１の一端開口１０の内箱２の一端部に対応する縁部から外箱１の内部で切り込み線ｄ３まで延び、ロック部２７に噛み合い係止可能な平板状のロック受け部１９とを有する。
【００２８】
この場合、外箱１は内箱２を収容可能に、言い換えれば、内箱２の上面、前面、後面及び下面を包囲可能に両端に開口１０を有する横長偏平状の角筒形に形成され、内箱２の上面開口２０に対応する上面板１４と、内箱２の前面板２２及び後面板２３に対応する前面板１２及び後面板１３と、内箱２の下面板２１に対応する下面板１１とからなる。この外箱１の上面板１４の一端側、この場合、右側に、内箱２のロック部２７に対応する直上の位置にロック部２７の外形縁部（３縁部）に沿って略コ字形にロック部２７よりも小さく切り込み線ｄ３が付され、この切り込み線ｄ３の内方に平板状のロック解除部１８が内箱２のロック部２７上で傾動可能に形成されて、外箱１内に内箱２が収容された状態からロック解除部１８が押下されることによってロック部２７が後述のロック受け部１９の下に押し下げられてロック解除可能になっている。また、この上面板１４の一端、この場合、右縁部から延長して平板状のロック受け部１９が外箱１の内部を他端方向、つまり左縁部方向に向けて切り取り線ｄ３まで上面板１４の右縁部を支点として下方に起き上がり可能に形成され、このロック受け部１９に内箱２のロック部２７が噛み合い係止可能になっている。なお、この場合、ロック受け部１９は略コ字形の切り取り線ｄ３の周囲に沿って略コ字形に形成される。
また、この場合、外箱１一端の開口１０縁部に内箱２の一端部を直接に把持可能に一対の溝１２０、１３０（図１２参照）が相互に対向して切り欠き形成される。ここでは、外箱１の前面板１２及び後面板１３の各右端部がコ字形に、より詳しくは、図１２に示すように、各右端部にそれぞれ右端部の上縁部よりも少し下がった位置の右縁部から上縁部と平行に所定の長さだけ、同様に、右端部の下縁部に右縁部から所定の長さだけ、切り込みｄ２１が入れられ、そして、それぞれの切り込み２１の左端間に切り込み２２が入れられて、全体としてコ字形に切り欠かれて形成される。なお、これらの溝１２０、１３０は人の手の親指先端と人差し指又は中指の先端が入る程度の大きさに形成される。
さらに、この場合、外箱１の両端に開口１０を有するので、内箱２が外箱１の一端開口１０から引き出し可能にかつ外箱１の他端開口１０から引き出し不能に、外箱１又は内箱２の一方に係止部２０１、２０２が、他方に被係止部１２０、１３０が設けられる。ここでは、既述のとおり、係止部２０１、２０２が内箱２に形成されるので、被係止部１２０、１３０は外箱１に形成される。既述の外箱１の前面板１２及び後面板１３の各右端部に形成された各溝１２０、１３０が内箱２の係止部２０１、２０２に係合可能な被係止部１２０、１３０として兼用される。以下、外箱１の被係止部１２０、１３０を単に溝１２０、１３０と称する。
【００２９】
また、外箱は一枚のブランクシートから一体的に打ち抜かれて形成される一枚の紙基材からなり、ワンタッチで折り畳み可能にかつ組み立て可能に構成される。
図１２にこの外箱１の紙基材Ｐ１を示している。
図１２に示すように、この紙基材Ｐ１は、内箱２の下面板部Ｐ２１と略同じ大きさの横に長い長方形の下面板部Ｐ１１と、この下面板部Ｐ１１の後縁部に罫線（折り目）Ｋ１４を介して連接される内箱２の後面板部Ｐ２３と略同じ大きさの横に細長い後面板部Ｐ１３と、この後面板部Ｐ１３の下縁部に罫線（折り目）Ｋ１５を介して連接される内箱２の上面開口２０と略同じ大きさの横に長い長方形の上面板部Ｐ１４と、この上面板部Ｐ１４の右縁部に罫線（折り目）Ｋ１８を介して所定の長さまで既述のとおり略コ字形に延長されるロック受け部Ｐ１９と、上面板部Ｐ１４の下縁部に罫線（折り目）Ｋ１６を介して連接される内箱２の前面板部Ｐ２２と略同じ大きさの前面板部Ｐ１２と、この前面板部Ｐ１２の下縁部に罫線（折り目）Ｋ１７を介して連接される前面板部Ｐ１２と略同じ長さ（横の寸法）で幅（縦の寸法）が少し小さい帯状の接着片部Ｐ１６とからなり、上面板部Ｐ１４の右端に既述のとおりに略コ字形に切り込み線ｄ３が形成され、前面板部Ｐ１２及び後面板部Ｐ１３の右端部に既述のとおりに溝１２０、１３０が切り欠き形成される。
このようにしてこの外箱１の紙基材Ｐ１は、下面板部Ｐ１１に対して後面板部Ｐ１３が罫線Ｋ１４を介して直角に折り曲げられ、この後面板部Ｐ１３に対して上面板部Ｐ１４が罫線Ｋ１５を介して直角に（つまり、下面板部Ｐ１１と平行に）折り曲げられ、この上面板部Ｐ１４に対して前面板部Ｐ１２が罫線Ｋ１６を介して直角に（つまり、後面板部Ｐ１３と平行に）折り曲げられ、この前面板部Ｐ１２に対して接着片部Ｐ１６が罫線Ｋ１７を介して直角に（つまり、上面板部Ｐ１４と平行に）折り曲げられこの接着片部Ｐ１６が下面板部Ｐ１１の内面に糊を介して接着されて、全体として横長偏平状の角筒形に組み立てられる。そして、ロック機能の一部をなすロック受け部Ｐ１９は上面板部Ｐ１４の右縁部の罫線Ｋ１８を介して上面板部Ｐ１４の内面側に折り返されて切り取り線ｄ３の周囲に傾倒配置され、また、ロック機能の一部をなすロック解除部Ｐ１８は上面板部Ｐ１４に形成された切り込み線ｄ３内に上面板部Ｐ１４と面一に配置される。
かくして外箱１は、出荷段階では、下面板１１と後面板１３との間の罫線Ｋ１４又は下面板１１と前面板１２との間の罫線Ｋ１７と、上面板１４と前面板１２との間の罫線Ｋ１６又は上面板１４と後面板１３との間の罫線Ｋ１５を折り畳み中心にして全体が偏平状に折り畳まれる。そして、製薬会社などの出荷先に出荷されて、出荷先で、ワンタッチ操作、この場合、前面板１２及び後面板１３を直立に引き起こすことにより、全体として筒形に組み立てられる。
【００３０】
そして、出荷先では、内箱２内に医薬品が収納されて、この内箱２が外箱１の中に収容される。
【００３１】
このようにして誤飲防止用ロック機能付き包装用箱Ｃ２は、外箱１内に内箱２が組み込まれて、外箱１内で内箱２のロック部２７がその起き上がりによりロック解除部１８及びその周囲に圧接され、また、外箱１のロック受け部１９がロック部２７の周囲に対向配置されて、外箱１から内箱２を引き出す際に、外箱１から内箱２を引き出すだけでは、図１３（ａ）に示すように、ロック部２７が外箱１内で外箱１の一端開口１０に向けて摺動しロック受け部１９に噛み合い係止されて、外箱１から内箱２の一端部が引き出されたところで内箱２の引き出しは規制され、外箱１から引き出された内箱２の一端部は被覆部２６により封じられて、内箱２は医薬品が取り出せない状態にロックされ、外箱１から内箱２を引き出す際は、図１３（ｂ）、（ｃ）に示すように、外箱１のロック解除部１８を押下してロック部２７をロック受け部１９の下まで押し下げることにより内箱２のロックが解除され、外箱１から内箱２が自在に引き出されるようになっている。
【００３２】
かくして、特に幼児などの子供が外箱１から内箱２を引き出そうとしても、図１３（ａ）に示すように、外箱１から内箱２の一部（一端部）を引き出したところで、内箱２のロック部２７が外箱１内でロック受け部１９に噛み合い係止され、それ以上に内箱２を引き出すことができない。そして、外箱１から引き出された内箱２の一部はその上面開口２０が被覆部２６により封じられているため、内箱２は開放されず、内箱２の中から医薬品を取り出すことができない。したがって、子供（幼児）がこの箱Ｃ２から医薬品を取り出して誤って飲んでしまうのを防止することができる。
また、一般に大人などが、この箱Ｃ２に入っている医薬品を服用するときは、図１３（ｂ）（ｃ）に示すように、例えば、左手で外箱１を押え、右手の親指と人差し指で外箱１の右端部の各溝１２０、１３０を通して内箱２の右端部を摘み、左手の人差し指などでロック解除部１８を押し（押下し）ながら、右手で内箱２を引き出せば、このときロック部２７は外箱１内でロック受け部１９の下部まで押し下げられてロック解除されるので、外箱１から内箱２はスムーズに引き出されて、外箱１の外で内箱２の上面開口２０が開放され、内箱２から医薬品を取り出すことができる。
また、この場合、外箱１の前面板１２及び後面板１３の右端部に内箱２の一端部を直接に把持可能に溝１２０、１３０が切り欠き形成されているので、外箱１から内箱２を引き出すときに、内箱２が摘みやすく、内箱２が引き出しやすい。さらに、この場合、外箱１の両端が開口１０になっているが、内箱２の前面板１２及び後面板１３の右端部に係止小突起２０１、２０２が設けられて外箱１の前面板１２及び後面板１３の右端部の溝１２０、１３０に係合され、右側の開口１０から引き出し可能にかつ左側の開口１０から引き出し不能になっているので、内箱２が誤って外箱１の反対の開口から引き出されることがない。
【００３３】
以上説明したように、誤飲防止用ロック機能付き包装用箱Ｃ２によれば、既述の構成により、外箱１から内箱２を引き出す際に、外箱１から内箱２を引き出すだけでは、ロック部２７が外箱１の内面に沿って外箱の一端開口１０に向けて移動しロック受け部１９に噛み合い係止され、外箱１から内箱２の一端部が引き出されたところで内箱２の引き出しは規制され、外箱１から引き出された内箱２の一端部はその上面開口２０が被覆部２６により封じられて、内箱２は医薬品が取り出せない状態にロックされ、外箱１から内箱２を引き出す際は、外箱１のロック解除部１８を押下してロック部２７をロック受け部１９の下まで押し下げることにより内箱２のロックが解除され、外箱１から内箱２が自在に引き出されるようにしたので、箱Ｃ２の開封後でも、箱Ｃ２を常態としてロック状態にして、子供による医薬品の誤飲を防止することができる。
また、この包装用箱Ｃ２では、特に、外箱１内で内箱２のロック部２７が外箱１のロック受け部１９に噛み合い係止されて、内箱２をロックするので、ロック部２７とロック受け部１９との係合状態が外部から見えず、外箱１から内箱２を引き出すことが一層困難となり、子供による医薬品の誤飲防止の効果をさらに向上させることができる。
【００３４】
また、この包装用箱Ｃ２においても、外箱１の一端の開口１０縁部に内箱２の一端部を直接に把持可能に一対の溝１２０、１３０が相互に対向して切り欠き形成される点、外箱１の両端に開口１０を有しているが、内箱２が外箱１の一端開口１０から引き出し可能にかつ外箱１の他端開口１０から引き出し不能に、内箱２に係止部２０１、２０２が、外箱１に被係止部１２０、１３０が設けられる点、外箱１、内箱２はそれぞれ、一枚のブランクシートから一体的に打ち抜かれて形成される一枚の紙基材Ｐ２からなり、ワンタッチで折り畳み可能にかつ組み立て可能に構成される点で、第１の実施の形態と同様の作用効果を奏することができる。
【００３５】
図１４に第２の実施の形態の一部を変更した変形例を示している。
この変形例は、第１の実施の形態の変形例と同様である。ここでは、図１４に図示すること、図１４中に第１の実施の形態の変形例と同様の符号を付すことで、その重複する説明を省略する。
このようにしても第１の実施の形態の変形例と同様の作用効果を奏することができる。
【００３６】
なお、上記各実施の形態では、箱Ｃ１、Ｃ２それ自体を比較的偏平の横長の直方体形として例示したが、この発明は、外箱１と内箱２とからなる箱である限り、箱Ｃ１、Ｃ２全体の大きさ、形状は何ら限定されるものではなく、医薬品を内包するパッケージの大きさ、数量に応じて、種々に変更可能である。
【符号の説明】
【００３７】
Ｃ１、Ｃ２  誤飲防止用ロック機能付き包装用箱
１  外箱
１０  開口
１１ 下面板
１２ 前面板
１２０  溝（被係止部）
１３ 後面板
１３０  溝（被係止部）
１４ 上面板
１５  ロック解除部
１７  閉塞板
１８  ロック解除部
１９  ロック受け部
Ｐ１  紙基材
Ｐ１１ 下面板部
Ｐ１２ 前面板部
Ｐ１３ 後面板部
Ｐ１４ 上面板
Ｐ１５  ロック解除部
Ｐ１６  接着片部
２  内箱
２０  開口
２１  下面板（底板）
２２  前面板
２０１  係止小突起（係止部）
２３  後面板
２０２  係止小突起（係止部）
２４  左側面板
２５  右側面板
２６  被覆部
２７  ロック部
２８  支持部
Ｐ２  紙基材
Ｐ２１  下面板部
Ｐ２２  前面板部
Ｐ２２１  左フラップ部
Ｐ２２２  右フラップ部
Ｐ２３  後面板部
Ｐ２３１  左フラップ部
Ｐ２３２  右フラップ部
Ｐ２４  左側面板部
Ｐ２５  右側面板部
Ｐ２６  被覆部
Ｐ２７  ロック部
Ｐ２８  支持部
ｄ１  切り込み線
ｄ１１  切り込み線
ｄ２１、ｄ２２  切り込み
ｄ３  切り込み線
Ｋ１−Ｋ１７  罫線（折り目）
【図１】
2019085118.tif 000003
【図２】
2019085118.tif 000004
【図３】
2019085118.tif 000005
【図４】
2019085118.tif 000006
【図５】
2019085118.tif 000007
【図６】
2019085118.tif 000008
【図７】
2019085118.tif 000009
【図８】
2019085118.tif 000010
【図９】
2019085118.tif 000011
【図１０】
2019085118.tif 000012
【図１１】
2019085118.tif 000013
【図１２】
2019085118.tif 000014
【図１３】
2019085118.tif 000015
【図１４】
2019085118.tif 000016